(57)【要約】【課題】係船用ロープの消波ブロックへの引っ掛かりを防止することが可能になる岸壁構造を提供する。【解決手段】岸壁構造１は、船舶の接岸を行う際に船舶から延ばされた係船用ロープを結び付ける係船柱を含む停泊施設が面する海岸の所定区域に積載される複数の消波ブロック１０と、複数の消波ブロック１０の少なくとも一部を覆うネット２０と、を備え、ネット２０は、複数の消波ブロック１０にアンカー固定される。これにより、係船用ロープが消波ブロック１０に引っ掛かることが低減できる。また、ネット２０がアンカー固定されるために、波によって消波ブロック１０が動いてもネットが消波ブロック１０の動きに追従することができるので、ネット２０が消波ブロック１０の上を覆っている状態を維持することができる。【選択図】図１
2014185486.tif 000002
【特許請求の範囲】
【請求項１】
係船柱を含む停泊施設が面する海岸の所定区域に積載される複数の消波ブロックと、
複数の消波ブロックの少なくとも一部を覆うネットと、を備え、
前記ネットは、前記複数の消波ブロックにアンカー固定されることを特徴とする岸壁構造。
【請求項２】
前記ネットは、亜鉛メッキが施された心線をポリエチレン樹脂で密着被覆してなる針金部材によって構成されることを特徴とする請求項１記載の岸壁構造。
【請求項３】
前記ネットの一部が、前記停泊施設に固定されていることを特徴とする請求項１又は２記載の岸壁構造。
【請求項４】
船舶の接岸を行う際に船舶から延ばされた係船用ロープを結び付ける係船柱を含む停泊施設に面する海岸の所定区域に積載される複数の消波ブロックに対して、少なくとも一部をネットで覆う岸壁形成方法であって、
前記消波ブロックにおける前記ネットの固定部位に孔部を形成するせん孔工程と、
前記孔部にアンカーを打ち込むアンカー取付工程と、
前記ネットを前記アンカーに連結する連結工程とを有することを特徴とする岸壁形成方法。
【発明の詳細な説明】
【技術分野】
【０００１】
本発明は、船舶の接岸及び離岸を行う岸壁に適用される、岸壁構造及び岸壁形成方法に関する。
【背景技術】
【０００２】
従来より、船舶が接岸する区域の岸壁には、係船柱が立設されている。そして、船舶が接岸する際には、船舶から延びる係船用ロープが係船柱に固定されることにより、船舶が岸壁に繋留される。また、船舶が離岸する際には、係船用ロープが係船柱から外されることによって繋留状態が解かれ、離岸可能になる。
【０００３】
しかしながら、岸壁近くに消波ブロックが積み上げられている場合がある。この場合、係船用ロープが消波ブロックへ引っ掛かる事象が生じていた。係船用ロープが消波ブロックに引っ掛かった場合には、作業員が消波ブロックの上へ移動して、ロープの引っ掛かりを解く作業を行う必要があった。
【０００４】
ここで、係船用ロープが消波ブロックへ引っ掛かることを防止するためには、消波ブロックをカバー部材で覆い、消波ブロックの凹凸を無くすことが考えられる。従来、消波ブロックをカバー部材で覆う技術思想としては、特許文献１に記載されたものがある。特許文献１によれば、護岸の前面に積み重ねられた消波ブロックの少なくとも干潮位から天端上までをネットで覆って、天端上への人の立入りを可能にすることが提案されている。
【先行技術文献】
【特許文献】
【０００５】
【特許文献１】特開平６−１０３２７号公報
【発明の概要】
【発明が解決しようとする課題】
【０００６】
しかしながら、特許文献１に記載されたネットは、消波ブロックの天端を釣り場や遊歩道として有効に利用することを目的として、少なくとも干潮位から天端上までを覆うものであり、係船用ロープが消波ブロックへ引っ掛かることを防止することについて記載されていない。
【０００７】
また、特許文献１にはネットの固定に関する記載がないが、消波ブロック天端の有効利用という目的から、ネットは、少なくとも消波ブロックの天端側において固定されているものと推測できる。しかしながら、消波ブロックをネットで覆うだけでは、波の力によって消波ブロックが沖側に移動した場合に、海中にあったネットの端部が消波ブロックによって押し上げられて海面から露出し、ネットの端部に係船用ロープが引っ掛かるおそれがある。
【０００８】
更には、波によって運ばれた異物が消波ブロックの隙間を通ってネットの端部に引っかかり、異物がネットの端部に蓄積されることによってネットの端部が押し上げられて海面から露出してしまい、ネットの端部に係船用ロープが引っ掛かるおそれがある。
【０００９】
本発明は、係船用ロープの消波ブロックへの引っ掛かり防止効果を向上させた岸壁構造及び岸壁形成方法を実現することを目的とする。
【課題を解決するための手段】
【００１０】
前記目的を達成するため、本発明は、次に記載する構成を備えている。
【００１１】
（１）  係船柱を含む停泊施設が面する海岸の所定区域に積載される複数の消波ブロックと、複数の消波ブロックの少なくとも一部を覆うネットと、を備え、前記ネットは、前記複数の消波ブロックにアンカー固定されることを特徴とする岸壁構造。
【００１２】
（１）によれば、消波ブロックがネットによって覆われることにより、船舶の接岸を行う際に船舶から延ばされた係船用ロープを係船柱に結び付けた場合に、係船用ロープが複数の消波ブロックによって形成される凹凸に入り込むことがネットによって規制され、係船用ロープが消波ブロックに引っ掛かることが低減できる。このように、係船用ロープの消波ブロックへの引っ掛かり防止効果を向上させることが可能になる。また、ネットが複数の消波ブロックにアンカー固定されるために、波によって消波ブロックが動いてもネットがブロックの動きに追従するので、ネットが消波ブロックの上を覆った状態を維持することができる。また、ネットが複数箇所でアンカー固定されるために、ネットが破損した場合に破損箇所が大きく広がることが低減することによって部分的な補修が可能になり、維持費の低減が図れる。
【００１３】
（２）  （１）において、前記ネットは、亜鉛メッキが施された心線をポリエチレン樹脂で密着被覆してなる針金部材によって構成されることを特徴とする岸壁構造。
【００１４】
（２）によれば、海水によるネットの腐食を防止することが可能になる。また、被覆が剥がれたとしても剥離片が水面に浮くことにより、回収が容易に可能になる。
【００１５】
（３）  （１）又は（２）において、前記ネットの一部が、前記停泊施設に固定されていることを特徴とする岸壁構造。
【００１６】
（３）によれば、ネットが消波ブロックから離れ、波によって沖に流されることが防止できる。
【００１７】
（４）船舶の接岸を行う際に船舶から延ばされた係船用ロープを結び付ける係船柱を含む停泊施設に面する海岸の所定区域に積載される複数の消波ブロックに対して、少なくとも一部をネットで覆う岸壁形成方法であって、前記消波ブロックにおける前記ネットの固定部位に孔部を形成するせん孔工程と、前記孔部にアンカーを打ち込むアンカー取付工程と、前記ネットを前記アンカーに連結する連結工程とを有することを特徴とする岸壁形成方法。
【００１８】
（４）によれば、（１）と同様の作用効果を奏する。
【発明の効果】
【００１９】
本発明によれば、係船用ロープの消波ブロックへの引っ掛かりを防止することが可能になる。
【図面の簡単な説明】
【００２０】
【図１】本発明の一実施形態における岸壁構造１の概略構成を示す側面図である。
【図２】本発明の一実施形態における岸壁構造１の概略構成を示す平面図である。
【図３】ネット２０の概略構成を示す平面図である。
【図４】アンカー３４の構成を示す正面図である。
【図５】アンカー３４の設置工程を示す説明図である。
【図６】基礎１１２におけるネット２０の固定構造を示す平面図である。
【図７】消波ブロック１０におけるネット２０の固定構造を示す平面図である。
【発明を実施するための形態】
【００２１】
以下、本発明の一実施形態について、図面を参照しながら詳細に説明する。
【００２２】
図１は、本発明の一実施形態における岸壁構造１の概略構成を示す側面図、図２は、本発明の一実施形態における岸壁構造１の概略構成を示す平面図である。岸壁構造１は、複数の消波ブロック１０と、ネット２０とを備える。
【００２３】
消波ブロック１０は、波のエネルギーを減衰又は消散させるために、係船柱１１０及び係船柱１１０の基礎１１２を含む停泊施設１００が面する海岸の所定区域に複数積載される。消波ブロック１０は、停泊施設１００側が高く、沖側が低くなるように積み上げられており、停泊施設１００側の消波ブロック１０は満潮時において海面より高く、沖側の消波ブロック１０は干潮時において海中に位置する。
【００２４】
ネット２０は、矩形の金網からなる。ネット２０を構成する針金部材は、亜鉛メッキが施された鋼心線を特殊配合ポリエチレン樹脂によって密着被覆したものである。
【００２５】
また、ネット２０は、複数の消波ブロック１０の一部領域の上面を覆うものであり、停泊施設１００の係船柱１１０の近傍に配置される。このため、船舶２００が停泊施設１００に接岸される際に、船舶２００から延ばされた係船用ロープ２１０が係船柱１１０に結び付けられる。この時、係船用ロープ２１０はネット２０上に載置される。ネット２０における停泊施設１００から沖側に向かう方向の長さは、沖側に位置するネット２０の端部が干潮時において海中に位置付けられる長さに設定されている。
【００２６】
また、係船柱１１０は基礎１１２の上部に固定されており、基礎１１２は、積載された消波ブロック１０の最上位置より高く形成されている。
【００２７】
図３は、ネット２０の概略構成を示す平面図である。ネット２０は、結合コイル２２と、ワイヤ２４と、クロスクリップ２６と、巻付クリップ２８と、ターンバックル３０と、シャックル３２と、アンカー３４とを用いて固定される。
【００２８】
結合コイル２２は、ネット２０の編み目に挿入されるらせん状の金属線であり、ネット２０の四辺に巻き付けられ、更に、ネット２０における矩形の中心を通る矩形の短辺に平行な線、及び矩形の中心を通る矩形の長辺に平行な線に沿って巻き付けられている。
【００２９】
ワイヤ２４は、ネット２０の四辺付近の編み目及び結合コイル２２に挿入される金属線である。ここで、以下の説明の便宜上、ネット２０の短辺に平行に設けられた３つの結合コイル２２において、沖側に配置される一方の短辺の結合コイル２２に挿入されるワイヤ２４をワイヤ２４ａ、他方の短辺の結合コイル２２に挿入されるワイヤ２４をワイヤ２４ｂ、残る中央の結合コイル２２に挿入されるワイヤ２４をワイヤ２４ｃと称することにする。同様に、ネット２０の長辺に平行に設けられた３つの結合コイル２２において、一方の長辺の結合コイル２２に挿入されるワイヤ２４をワイヤ２４ｐ、他方の長辺の結合コイル２２に挿入されるワイヤ２４をワイヤ２４ｑ、残る中央の結合コイル２２に挿入されるワイヤ２４をワイヤ２４ｒと称することにする。
【００３０】
ワイヤ２４ａ、２４ｂ、２４ｃはネット２０の短辺よりも長く設定されており、それぞれ３つの結合コイル２２の両端から突出している。また、ワイヤ２４ｐはネット２０の長辺と略同一であり、ワイヤ２４ｑ、２４ｒはネット２０の長辺よりも長く設定されている。ワイヤ２４ｑ、２４ｒの一端部はワイヤ２４ａ上に配置されており、ワイヤ２４ｑ、２４ｒの他端部は、ワイヤ２４ａに直交しかつ結合コイル２２から突出している。
【００３１】
クロスクリップ２６は、ワイヤ２４ａ、２４ｂ、２４ｃとワイヤ２４ｐ、２４ｑ、２４ｒとの交差部分に設けられ、交差しているワイヤ２４同士を挟み込むことによって、交差している状態を保持する連結具である。本実施形態においては、ネット２０のおける四つの角、四辺の中央及びネット２０の中心の９箇所に設けられている。
【００３２】
巻付クリップ２８は、金属線からなり、図６に示すように、ワイヤ２４ａ、２４ｂ、２４ｃの両端部及びワイヤ２４ｑ、２４ｒの他端部に巻き付けられ、これらのワイヤ２４の端部をリング状に形成する部材である。
【００３３】
ターンバックル３０は、図６に示すように、棒状部材の両端部にそれぞれリング状の部材に連結可能な連結部が形成された部材である。本実施形態によれば、連結部は、Ｕ字型の金属部材と、このＵ字型の先端部を跨がるように設けられ、Ｕ字型の開口側を閉鎖するボルト及びナットとによって構成されている。巻付クリップ２８は、ターンバックル３０の一方の端部のＵ字型の金属部材の内側に配置され、更にボルトが挿通されて、ボルトの両端部にナットが螺合されることにより、ターンバックル３０の一端部に連結される。
【００３４】
シャックル３２は、図６に示すように、Ｕ字型の金属部材と、このＵ字型の先端部を跨がるように設けられ、Ｕ字型の開口側を閉鎖する棒状の金属部材からなる連結具である。シャックル３２は、図３に示すように、ワイヤ２４ｐ、２４ｑにおけるワイヤ２４ｃとの交差部分の両側部と、ワイヤ２４ａにおけるワイヤ２４ｒとの交差部分の両側部と、ワイヤ２４ｂにおけるワイヤ２４ｐとの交差部分の両側部とにそれぞれ設けられている。
【００３５】
アンカー３４は、図４（ａ）及び図４（ｂ）に示すように、先端部がリング状に形成されたアイボルト３４ａと、このアイボルトが螺合するＪＡアンカー３４ｂとによって構成されている。ＪＡアンカー３４ｂが係船柱１１０の基礎１１２あるいは消波ブロック１０に固定され、ＪＡアンカー３４ｂにアイボルトが螺合することによって、アンカー３４が係船柱１１０の基礎１１２あるいは消波ブロック１０に設置される。アンカー３４には、ターンバックル３０の他方の連結部あるいはシャックル３２が連結される。
【００３６】
次に、ネット２０の設置作業について、図５を参照しながら説明する。まず、ネット２０には、結合コイル２２と、ワイヤ２４と、クロスクリップ２６と、巻付クリップ２８と、ターンバックル３０と、シャックル３２とを予め取り付けておく。
【００３７】
次に、せん孔工程を実施する。すなわち、ターンバックル３０及びシャックル３２が配置される予定の係船柱１１０の基礎１１２の所定部位及び消波ブロック１０の所定部位をせん孔して、図５（ａ）に示すように、孔部１０ａを形成する。
【００３８】
次に、アンカー取付工程を実施する。すなわち、図５（ｂ）に示すように、係船柱１１０の基礎１１２及び消波ブロック１０に形成された孔部１０ａにＪＡアンカー３４ｂを打ち込むことによって、係船柱１１０の基礎１１２及び消波ブロック１０にＪＡアンカー３４ｂを取り付け、更に図５（ｃ）に示すように、ＪＡアンカー３４ｂにアイボルト３４ａを螺合させる。
【００３９】
次に、連結工程を実施する。例えば、図５（ｄ）に示すように、シャックル３２をワイヤ２４及びアイボルト３４ａに挿入することによって、ネット２０が消波ブロック１０に連結固定される。また、アンカー３４をターンバックル３０の他方の連結部に挿入することによってネット２０が消波ブロック１０に連結固定される。
【００４０】
本実施形態においては、図２、図３に示すように、係船柱１１０の基礎１１２にワイヤ２４ａとワイヤ２４ｐとが交差しているネット２０の角部が配置され、他の３つの角部は消波ブロック１０上に配置される。このため、ワイヤ２４ａとワイヤ２４ｐとが交差しているネット２０の角部に取り付けられているターンバックル３０及び２つのシャックル３２、３２に対応して３つアンカーが係船柱１１０の基礎１１２に設置される。その他の１３個のアンカー３４は消波ブロック１０に設置される。
【００４１】
図６は、係船柱１１０の基礎１１２におけるネット２０の固定構造を示す平面図である。基礎１１２には、ワイヤ２４ｂが延びる方向に沿った直線上における３箇所にアンカー３４が固定されている。また、ワイヤ２４ｂとワイヤ２４ｐとの交差部分にクロスクリップ２６が取り付けられている。また、ワイヤ２４ｂの端部は、巻付クリップ２８によってリング状に形成されており、このリング部分にターンバックル３０の一端部が連結される。更に、ターンバックル３０の他端部が一のアンカー３４に連結される。この時、クロスクリップ２６の両側部にそれぞれ他のアンカー３４が位置付けられる。そして、シャックル３２、３２をアンカー３４、３４に挿入し、かつシャックル３２、３２の内側にワイヤ２４ｂが配置されるようにシャックルを取り付けることにより、ネット２０における一つの角部が基礎１１２に固定される。
【００４２】
図７は、消波ブロック１０におけるネット２０の固定構造を示す平面図である。図７に示すように、消波ブロック１０に打ち込まれたアンカー３４にターンバックル３０及びシャックル３２を連結することにより、ネット２０が消波ブロック１０及び係船柱１１０の基礎１１２に固定される。これにより、図２に示すように、複数の消波ブロック１０が積載されたエリアの一部がネット２０によって覆われる。
【００４３】
以上、説明したように構成された本実施形態によれば、消波ブロック１０がネット２０によって覆われることにより、船舶の接岸を行う際に船舶から延ばされた係船用ロープ２１０を係船柱１１０に結び付けた場合に、係船用ロープ２１０が複数の消波ブロック１０によって形成される凹凸に入り込むことがネット２０によって規制され、係船用ロープ２１０が消波ブロック１０に引っ掛かることが低減できる。また、ネット２０が複数の消波ブロック１０にアンカー固定されるために、波によって消波ブロック１０が動いても、ネット２０が消波ブロックの動きに追従することができるので、ネット２０が消波ブロック１０の上を覆った状態を維持することができる。また、ネット２０が破損した場合にも部分的な補修が可能になり、維持費の低減が図れる。
【００４４】
また、本実施形態によれば、ネット２０は、心線の亜鉛メッキを特殊配合ポリエチレン樹脂で密着被覆して構成されたものであるため、海水によるネット２０の腐食を防止することが可能になる。また、被覆が剥がれたとしても剥離片が水面に浮くことにより、回収が容易に可能になる。
【００４５】
また、本実施形態によれば、ネット２０の一部が、停泊施設に含まれる係船柱１１０の基礎に固定されているため、ネットが消波ブロック１０から離れたとしても、ネット２０が波によって沖に流されることが防止できる。
【００４６】
また、本実施形態によれば、ネット２０における停泊施設１００から沖側に向かう方向の長さが、沖側に位置するネット２０の端部が干潮時において海中に位置付けられる長さに設定されている。これにより、沖側に位置するネット２０の端部が海中にあるため、海面より上方において係船用ロープ２１０が消波ブロック１０に引っ掛かることが低減できる。
【００４７】
以上、本発明の実施形態について説明したが、本発明の実施形態は上述した構成に限る物ではない。例えば、上述した実施形態においては、ネット２０が四辺においてアンカー固定されているが、ネット２０の中央部においてアンカー固定してもよい。また、上述した実施形態においては、一枚のネット２０によって消波ブロック１０が被覆されているが、複数枚のネット２０の端部を結合して一枚のネット２０に構成してもよい。
【符号の説明】
【００４８】
１  岸壁構造
１０  消波ブロック
２０  ネット
２２  結合コイル
２４、２４ａ、２４ｂ、２４ｃ、２４ｐ、２４ｑ、２４ｒ  ワイヤ
２６  クロスクリップ
２８  巻付クリップ
３０  ターンバックル
３２  シャックル
３４  アンカー
３４ａ  アイボルト
３４ｂ  ＪＡアンカー
１００  停泊施設
１１０  係船柱
１１２  基礎
２００  船舶
２１０  係船用ロープ
【図１】
2014185486.tif 000003
【図２】
2014185486.tif 000004
【図３】
2014185486.tif 000005
【図４】
2014185486.tif 000006
【図５】
2014185486.tif 000007
【図６】
2014185486.tif 000008
【図７】
2014185486.tif 000009